(57)【要約】【課題】取付部材に光学素子を容易に備えさせる。【解決手段】光学素子１０の取付構造であって、光学素子１０と、光学素子１０が装備される導通部材２０と、光学素子１０および導通部材２０が装備される取付部材１１０と、を備え、取付部材１１０に導通部材２０が備えられると共に、導通部材２０により取付部材１１０に光学素子１０が備えられた。光学素子１０を取付部材１１０に装備させるときに用いられる導通部材２０であって、導通部材本体部２１を取付部材１１０に装備可能とさせる係止部２８が導通部材本体部２１に備えられた。係止部２８は、導通部材本体部２１の端部２２近傍に折曲げ形成された。係止部２８は、取付部材１１０に対して導通部材本体部２１を装備可能とさせる傾斜部２６を有する。取付部材１１０に対して復元弾性力を発生させる当接力発生部２９が導通部材本体部２１の端部２２に備えられた。【選択図】図１
2012089208.tif 000002
【特許請求の範囲】
【請求項１】
光学素子の取付構造であって、
光学素子と、
前記光学素子が装備される導通部材と、
前記光学素子および前記導通部材が装備される取付部材と、
を備え、
前記取付部材に前記導通部材が備えられると共に、前記導通部材により前記取付部材に前記光学素子が備えられた
ことを特徴とする。
【請求項２】
請求項１に記載の光学素子の取付構造であって、
前記導通部材に前記光学素子が装着された
ことを特徴とする。
【請求項３】
請求項１又は２に記載の光学素子の取付構造であって、
前記光学素子を装備させるときに用いられる固定部材を備え、
前記固定部材により前記取付部材に前記光学素子が固定された
ことを特徴とする。
【請求項４】
請求項３に記載の光学素子の取付構造であって、
前記光学素子として受光素子が用いられ、
前記導通部材としてフレキシブル基板が用いられ、
前記取付部材としてハウジングが用いられ、
前記固定部材としてカバーが用いられた
ことを特徴とする。
【請求項５】
光学素子を取付部材に装備させるときに用いられる導通部材であって、
導通部材本体部を前記取付部材に装備可能とさせる係止部が前記導通部材本体部に備えられた
ことを特徴とする。
【請求項６】
請求項５に記載の導通部材であって、
前記係止部は、前記導通部材本体部の端部近傍に折曲げ形成された
ことを特徴とする。
【請求項７】
請求項５又は６に記載の導通部材であって、
前記係止部は、前記取付部材に対して前記導通部材本体部の端部を装備可能とさせる傾斜部を有する
ことを特徴とする。
【請求項８】
請求項５〜７の何れか１項に記載の導通部材であって、
前記取付部材に対して復元弾性力を発生させる当接力発生部が前記導通部材本体部の端部に備えられた
ことを特徴とする。
【請求項９】
請求項８に記載の導通部材であって、
前記導通部材本体部に対し前記当接力発生部が折り返し形成された
ことを特徴とする。
【請求項１０】
請求項１〜４の何れか１項に記載の光学素子の取付構造であって、
前記導通部材として、請求項５〜９の何れか１項に記載の導通部材が用いられた
ことを特徴とする。
【請求項１１】
ピックアップ装置であって、
請求項１〜４又は１０の何れか１項に記載の光学素子の取付構造を有する
ことを特徴とする。
【発明の詳細な説明】
【技術分野】
【０００１】
本発明は、導通部材、光学素子の取付構造、並びに、それを備えるピックアップ装置に関するものである。
【背景技術】
【０００２】
ディスク装置のピックアップ装置が用いられて、ディスクのデータが読み出される。また、ディスク装置が用いられて、ディスクにデータが記録される。ディスクとして、例えば、「ＣＤ」（Ｃｏｍｐａｃｔ  Ｄｉｓｃ）（商標）、「ＤＶＤ」（登録商標）（Ｄｉｇｉｔａｌ  Ｖｅｒｓａｔｉｌｅ  Ｄｉｓｃ）等が挙げられる。
【０００３】
光学素子の取付構造、並びに、それを備える光ピックアップ装置に関するものとして、例えば、部材同士を間隙をあけた状態で接着固定する場合でも、接着剤の剥離や強度低下、および位置ずれが発生することのない接着構造、この接着構造を用いた光ヘッド装置、および接着方法というものがある（例えば特許文献１参照）。
【先行技術文献】
【特許文献】
【０００４】
【特許文献１】特開２００４−１０７５９号公報（第１，４頁、第１−６図）
【発明の概要】
【発明が解決しようとする課題】
【０００５】
しかしながら、上記従来の光ピックアップ装置にあっては、光ピックアップ装置の製造工程において煩雑な作業を伴うことが懸念されていた。また、光ピックアップ装置の製造工程において煩雑な作業を伴うことから、光ピックアップ装置の価格を低く抑えることは困難とされていた。
【課題を解決するための手段】
【０００６】
上記課題を解決するために、本発明の請求項１に係る光学素子の取付構造は、光学素子と、前記光学素子が装備される導通部材と、前記光学素子および前記導通部材が装備される取付部材と、を備え、前記取付部材に前記導通部材が備えられると共に、前記導通部材により前記取付部材に前記光学素子が備えられたことを特徴とする。
【０００７】
請求項２に係る光学素子の取付構造は、請求項１に記載の光学素子の取付構造であって、前記導通部材に前記光学素子が装着されたことを特徴とする。
【０００８】
請求項３に係る光学素子の取付構造は、請求項１又は２に記載の光学素子の取付構造であって、前記光学素子を装備させるときに用いられる固定部材を備え、前記固定部材により前記取付部材に前記光学素子が固定されたことを特徴とする。
【０００９】
請求項４に係る光学素子の取付構造は、請求項３に記載の光学素子の取付構造であって、請求項１〜３の何れか１項に記載の光学素子の取付構造であって、前記光学素子として受光素子が用いられ、前記導通部材としてフレキシブル基板が用いられ、前記取付部材としてハウジングが用いられ、前記固定部材としてカバーが用いられたことを特徴とする。
【００１０】
請求項５に係る導通部材は、光学素子を取付部材に装備させるときに用いられる導通部材であって、導通部材本体部を前記取付部材に装備可能とさせる係止部が前記導通部材本体部に備えられたことを特徴とする。
【００１１】
請求項６に係る導通部材は、請求項５に記載の導通部材であって、前記係止部は、前記導通部材本体部の端部近傍に折曲げ形成されたことを特徴とする。
【００１２】
請求項７に係る導通部材は、請求項５又は６に記載の導通部材であって、前記係止部は、前記取付部材に対して前記導通部材本体部の端部を装備可能とさせる傾斜部を有することを特徴とする。
【００１３】
請求項８に係る導通部材は、請求項５〜７の何れか１項に記載の導通部材であって、前記取付部材に対して復元弾性力を発生させる当接力発生部が前記導通部材本体部の端部に備えられたことを特徴とする。
【００１４】
請求項９に係る導通部材は、請求項８に記載の導通部材であって、前記導通部材本体部に対し前記当接力発生部が折り返し形成されたことを特徴とする。
【００１５】
請求項１０に係る光学素子の取付構造は、請求項１〜４の何れか１項に記載の光学素子の取付構造であって、前記導通部材として、請求項５〜９の何れか１項に記載の導通部材が用いられたことを特徴とする。
【００１６】
請求項１１に係るピックアップ装置は、請求項１〜４又は１０の何れか１項に記載の光学素子の取付構造を有することを特徴とする。
【発明の効果】
【００１７】
本発明によれば、取付部材に光学素子が装備されるときに、光学素子は、取付部材に装備された導通部材により取付部材に備えられる。
【００１８】
また、本発明によれば、導通部材により光学素子が取付部材に容易に位置調整されて備えられる。従って、価格を低く抑えることが可能とされたピックアップ装置を構成させることができる。
【図面の簡単な説明】
【００１９】
【図１】本発明に係る導通部材および光学素子の取付構造の一実施の形態を示す概略図である。
【図２】光学素子を有する導通部材が取付部材に備えられる状態を示す概略図である。
【図３】同じく光学素子を有する導通部材が取付部材に備えられる状態を示す概略図である。
【図４】同じく光学素子を有する導通部材が取付部材に備えられる状態を示す概略図である。
【図５】同じく光学素子を有する導通部材が取付部材に備えられた状態を示す概略図である。
【図６】本発明に係るピックアップ装置を示す平面図である。
【図７】本発明に係るピックアップ装置を示す分解斜視図である。
【図８】ピックアップ装置およびそれを備えるディスク装置を示す概略図である。
【発明を実施するための形態】
【００２０】
以下に、本発明に係る導通部材、光学素子の取付構造、並びに、それを備えるピックアップ装置の一実施の形態を図面に基づいて詳細に説明する。
【００２１】
駆動装置組立体５を構成するヘッド主体部組立体７は、略平板状の基盤部８０と、略平
板状の基盤部８０に取り付けられた一対の長尺丸棒状の支持体９１，９２と、一対の長尺丸棒状の支持体９１，９２に移動可能に装備されたヘッド駆動装置９０と、を備えて構成されている。また、光ヘッド駆動装置９０は、メディアＭの一つとされるディスクＭの信号面部Ｍａにレーザ光などの光の焦点を合わせた状態で光を照射させる一対の光学部材１３０を備えて構成されている。この明細書における基盤部とは、例えば、略板状のもの、略基板状のもの等の基礎、土台となるものとされ、便宜上の呼び名とされている。また、メディア（ｍｅｄｉａ）とは、例えば、データ、情報、信号などが保存されるディスク（ｄｉｓｃ）等を意味する。
【００２２】
また、駆動装置組立体５を構成するモータ主体部組立体５０は、回路が構成された略平板状の基板（図示せず）と、略平板状の基板に通電可能に取り付けられたモータ駆動装置７０と、を備えて構成されている。また、モータ駆動装置７０は、回転駆動力を発生させる小型電動機（図示せず）と、小型電動機に備えられた回動軸（図示せず）と、回動軸に装備されディスクＭが装着される回動保持部７３と、を備えて構成されている。
【００２３】
また、駆動装置組立体５およびそれを備えるディスク装置１として、例えばトラバースメカ５およびそれを備える光ディスク装置１が用いられている。
【００２４】
図６〜図８に示すピックアップ装置１００として、例えば対物レンズとされる光学部材１３０を介してレーザ光（ＬＡＳＥＲ：ｌｉｇｈｔ  ａｍｐｌｉｆｉｃａｔｉｏｎ  ｂｙ
ｓｔｉｍｕｌａｔｅｄｅｍｉｓｓｉｏｎ  ｏｆ  ｒａｄｉａｔｉｏｎ）を出射可能な光ピックアップ装置１００が用いられている。例えば光ピックアップ（ｏｐｔｉｃａｌ  ｐｉｃｋｕｐ）又は光ピックアップ装置（ｏｐｔｉｃａｌ  ｐｉｃｋｕｐ  ｕｎｉｔ）は、「ＯＰＵ」と略称される。また、対物レンズ（ｏｂｊｅｃｔｉｖｅ  ｌｅｎｓ）は、例えば「ＯＢＬ」と略称して用いられている。
【００２５】
ディスク装置１の駆動装置組立体５に備えられたＯＰＵ１００のＯＢＬ１３０により絞られるレーザ光によって、ディスクＭ等のメディアＭに記録された情報などのデータが再生される。また、ディスク装置１の駆動装置組立体５に備えられたＯＰＵ１００のＯＢＬ１３０により絞られるレーザ光によって、ディスクＭ等のメディアＭに情報などのデータが記録される。また、ディスク装置１の駆動装置組立体５に備えられたＯＰＵ１００のＯＢＬ１３０により絞られるレーザ光によって、ディスクＭ等のメディアＭに記録された情報などのデータが消去される。
【００２６】
ディスク装置１の駆動装置組立体５を構成するＯＰＵ１００は、各種ディスクＭ等の各種メディアＭに記録されたデータ、情報、信号を再生させたり、書込み可能もしくは書換え可能な各種ディスクＭ等の各種メディアＭにデータ、情報、信号を記録させたり、書込み可能もしくは書換え可能な各種ディスクＭ等の各種メディアＭのデータ、情報、信号を消去させたりするものとされている。
【００２７】
又、ディスク装置１の駆動装置組立体５を構成するＯＰＵ１００は、例えば、「ＣＤ」（Ｃｏｍｐａｃｔ  Ｄｉｓｃ）(商標)系列／規格のメディアと、「ＤＶＤ」（登録商標）（Ｄｉｇｉｔａｌ  Ｖｅｒｓａｔｉｌｅ  Ｄｉｓｃ）系列／規格のメディアと、「ＨＤ  ＤＶＤ」（Ｈｉｇｈ  Ｄｅｆｉｎｉｔｉｏｎ  ＤＶＤ）（登録商標）系列／規格のメディアと、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列／規格のメディアと、「ＢＤ」（Ｂｌｕ−ｒａｙ／Ｂｌｕ−ｒａｙ  Ｄｉｓｃ）（登録商標）系列／規格のメディアと、に対応したものとされる。ディスク装置１の駆動装置組立体５を構成するＯＰＵ１００は、例えば、上記各種メディアからなる群から選ばれる少なくとも一種のメディアに対応したものとされている。具体的に説明すると、ディスク装置１の
駆動装置組立体５を構成するＯＰＵ１００は、上記複数の何れかのメディアに対応したものとされている。
【００２８】
メディアＭとして例えば上記各種光ディスクＭ等が挙げられるが、次の形態をしたメディアＭも挙げられる。例えば、ディスクＭとして、ディスク両面に信号面部Ｍａが設けられ、データ書込み／消去やデータ書換え等が可能とされた光ディスクＭ等も挙げられる。また、ディスクＭとして、例えば二層の信号面部Ｍａが設けられ、データ書込み／消去やデータ書換え等が可能とされた光ディスクＭ等も挙げられる。また、例えば三層の信号面部が設けられ、データ書込み／消去やデータ書換え等が可能とされた「ＨＤ  ＤＶＤ」及び／又は「Ｂｌｕ−ｒａｙ／Ｂｌｕ−ｒａｙ  Ｄｉｓｃ」用光ディスク等も挙げられる（図示せず）。また、例えば四層の信号面部が設けられ、データ書込み／消去やデータ書換え等が可能とされた「Ｂｌｕ−ｒａｙ／Ｂｌｕ−ｒａｙ  Ｄｉｓｃ」用光ディスク等も挙げられる（図示せず）。また、例えば光ディスクＭのレーベル面部の側にレーザ光を照射させてレーベル等の各種書込み等を行うことが可能とされた光ディスクＭ等も挙げられる。光ディスクＭの信号面部Ｍａ、レーベル面部は、例えば金属薄膜などの薄層等を備えて構成されている。金属薄膜などを備えて構成される信号面部Ｍａにデータ、情報、信号などが記録され、レーベル面部に画像などが記録される。光ディスクＭの信号面部Ｍａは、例えば金属薄層などを備えて構成される信号層Ｍａとして構成されている。このように、各種光ディスクＭとして各種形態をした複層／多層構造の光ディスクが挙げられる。便宜上、各種形態の光ディスクを光ディスクＭとして纏めて説明する。
【００２９】
また、図８に示すディスク装置１として、例えばレーザ光を出射可能な光ディスク装置１が用いられている。詳しく説明すると、ディスク装置１として、例えば、「ＣＤ」、「ＤＶＤ」、「ＨＤ  ＤＶＤ」、「ＣＢＨＤ」、「ＢＤ」等の各種光ディスクＭに対応した光ディスク装置１が用いられている。また、ディスク装置１を構成する駆動装置組立体５として、例えば光ディスクＭのピット（ｐｉｔ）、トラック（ｔｒａｃｋ）等の略螺旋状信号部（図示せず）を横切るように光ディスクＭの半径方向に略沿ってＯＰＵ１００が往復移動可能に備えられて構成されたトラバースメカ５が用いられている。
【００３０】
また、光ディスク装置１又はトラバースメカ５を構成するＯＰＵ１００として、例えば上記各種光ディスクＭに対応したＯＰＵ１００が用いられている。また、光ディスク装置１又はトラバースメカ５を構成しＯＰＵ１００を移動自在に支える支持体９１，９２として、例えば略直線丸棒状のスライドシャフト９１，９２が用いられている。
【００３１】
また、光ディスクＭを回転させるドライブ装置４０として、スピンドルモータ、ターンテーブル７３等を含み光ディスクＭを回転駆動させるディスクドライブ装置４０が用いられている。ドライブ装置４０のスピンドルモータ上に設けられたターンテーブル７３は、光ディスクＭの調芯と、光ディスクＭの高速回転時の安定化確保と、の両機能を兼ね備えている。
【００３２】
また、光ディスク装置１又はトラバースメカ５を構成する基盤部８０として、例えば、ＯＰＵ１００が移動自在に装備された一対の支持体９１，９２と、スピンドルモータ、ターンテーブル７３等を有するドライブ装置４０と、が取り付けられる略平板状のシャーシ８０が用いられている。シャーシ（ｃｈａｓｓｉｓ）とは、例えば部品などが取り付けられる組込み台を意味する。
【００３３】
光ディスク装置１は、上記ＯＰＵ１００と、上記スライドシャフト９１，９２と、上記ディスクドライブ装置４０と、上記シャーシ８０と、を有する上記トラバースメカ５を備えて構成されている。光ディスク装置１並びにディスク装置１を構成するトラバースメカ５は、上記各種部品以外の他の部品等も備えて構成されるが、ここでは他の部品等の詳細
な説明を省略する。
【００３４】
発光素子を構成する光学部材（図示せず）に電流が供給されて発光素子を構成する不図示の光学部材から出射されるレーザ光により、光ディスクＭ（図８）に情報の記録が行われたり、光ディスクＭに記録された情報が再生されたり、光ディスクＭに記録された情報が消去されたりする。発光素子として例えば半導体レーザ等が挙げられる。
【００３５】
図６〜図８に示すＯＰＵ１００は、光ディスクＭ（図８）にレーザ光を照射させる光学部材いわゆるレーザダイオード（ＬＤ：ｌａｓｅｒ  ｄｉｏｄｅ）（図示せず）を備える。また、このＯＰＵ１００は、ＬＤに電気を流してＬＤを光らせる駆動回路部いわゆるレーザドライバ（ＬＤＤ：ＬＤ  ｄｒｉｖｅｒ）（図示せず）を備える。
【００３６】
又、このＯＰＵ１００は、ＬＤ、ＬＤＤ、ＰＤＩＣ（ｐｈｏｔｏ ｄｉｏｄｅ ＩＣ）、フォトディテクタ（ＰＤ：ｐｈｏｔｏ  ｄｅｔｅｃｔｏｒ）、フロントモニタダイオード（ＦＭＤ：ｆｒｏｎｔ  ｍｏｎｉｔｏｒ  ｄｉｏｄｅ）等の電気系部品等を通電可能に接続する導通部材２０を備える。導通部材２０として、例えば、フレキシブルフラット回路体、フレキシブルプリント回路体などのフレキシブル基板等が挙げられる。フレキシブルフラット回路体（ｆｌｅｘｉｂｌｅ  ｆｌａｔ  ｃｉｒｃｕｉｔ／ｆｌｅｘｉｂｌｅ  ｆｌａｔ  ｃａｂｌｅ）は、「ＦＦＣ」と略称される。また、フレキシブルプリント回路体（ｆｌｅｘｉｂｌｅ  ｐｒｉｎｔｅｄ  ｃｉｒｃｕｉｔ／ｆｌｅｘｉｂｌｅ  ｐｒｉｎｔｅｄ  ｃａｂｌｅ）は、「ＦＰＣ」と略称される。
【００３７】
例えば不図示のＬＤＤからＦＰＣ２０を通してＬＤへ電気が流されて、ＬＤからレーザ光が出力される。例えば、波長が約７６５〜８４０ｎｍ（ナノメートル）、基準とされる波長が略７８０ｎｍの赤外レーザ光を出射可能な「ＣＤ」用の０．２〜１０００ｍＷ（ミリワット）のレーザ光がＬＤから出射される。また、例えば、波長が約６３０〜６８５ｎｍ、基準とされる波長が略６３５ｎｍまたは６５０ｎｍの赤色レーザ光を出射可能な「ＤＶＤ」用の０．２〜１０００ｍＷのレーザ光がＬＤから出射される。ＬＤは、例えば、基準とされる波長が略７８０ｎｍとされ波長が略７６５〜８４０ｎｍの第一波長レーザ光と、基準とされる波長が略６３５ｎｍまたは６５０ｎｍとされ波長が略６３０〜６８５ｎｍの第二波長レーザ光と、を出射可能な二波長ＬＤとして構成される。
【００３８】
光ディスク装置１、ＯＰＵ１００等の設計／仕様等により、例えば、波長が約３４０〜４５０ｎｍ、好ましくは約３８０〜４５０ｎｍ、より好ましくは約４００ｎｍを超え４５０ｎｍ以下、基準とされる波長が略４０５ｎｍの青紫色レーザ光を出射可能な「ＣＢＨＤ」、「ＨＤ  ＤＶＤ」、「Ｂｌｕ−ｒａｙ／Ｂｌｕ−ｒａｙ  Ｄｉｓｃ」用の０．２〜１０００ｍＷのレーザ光がＬＤから出射される。この場合、ＬＤは、例えば、基準とされる波長が略７８０ｎｍとされ且つ出射波長が略７６５〜８４０ｎｍの第一波長レーザ光と、基準とされる波長が略６３５ｎｍまたは６５０ｎｍとされ且つ出射波長が略６３０〜６８５ｎｍの第二波長レーザ光と、基準とされる波長が略４０５ｎｍとされ且つ出射波長が略３４０〜４５０ｎｍの第三波長レーザ光と、の複数種類の波長のレーザ光を出射可能な特殊なＬＤとして構成される。また、ＬＤとして、上記各波長のレーザ光を出射可能な単波長ＬＤ等の各種ＬＤが使用可能とされる。また、ＬＤとして、上記各波長のうち少なくとも一種の波長のレーザ光を出射可能なＬＤが使用可能とされる。
【００３９】
ＬＤから例えば０．２以上１０００ｍＷ以下、具体的には０．５以上８００ｍＷ以下の出力値のレーザ光が出射される。例えば、０．２ｍＷ未満の出力値のレーザ光とされた場合、光ディスクＭに照射されたのちに反射され不図示の受光素子に届くレーザ光の光量が不足する。光ディスクＭの各データ等を再生させるときには、例えば０．２ｍＷ以上好ましくは０．５ｍＷ以上２０ｍＷ以下程度という数〜数十ｍＷの出力値のレーザ光で十分と
される。光ディスクＭに各データ等を書き込むときには、数十〜数百ｍＷの出力値のレーザ光が必要とされる。例えば光ディスクＭに高速で各データ等を書き込むときには、２０ｍＷ超、具体的には、２００ｍＷ、４００ｍＷ、６００ｍＷ、８００ｍＷ、１０００ｍＷ等という高い出力値のパルスレーザ光が必要とされることがある。
【００４０】
また、このＯＰＵ１００は、例えば一本のレーザ光を複数に分ける光学部材いわゆる回折格子（インライン・グレーティング）（図示せず）を備える。ＬＤから出射された第一波長レーザ光および第二波長レーザ光は、４分割などの複数の領域部に分割された回折格子によりメインビーム（０次光）と２つのサブビーム（±１次回折光束）との少なくとも３ビームに分けられる。
【００４１】
また、このＯＰＵ１００は、ＬＤから出射されたレーザ光の一部を受光する受光素子１０例えばＦＭＤを備える。受光素子１０は、レーザ光の一部が照射されるＦＭＤとして構成されている。受光素子１０は、ＬＤ１０から出力されるレーザ光をモニタして、ＬＤの制御のためにフィードバックをかけるものとされている。
【００４２】
また、このＯＰＵ１００は、光ディスクＭの信号層Ｍａから反射されたレーザ光を受光する受光素子例えば光検出器またはＰＤＩＣもしくはフォトディテクタ（図示せず）を備える。不図示のＰＤは、例えば四分割タイプ等の複数分割された回折格子を透過したメインビーム（０次光）に対応する平面視略矩形のメイン受光部（図示せず）と、不図示の回折格子を透過することで回折分岐された一対のサブビーム（±１次回折光束）に対応する一対の平面視略矩形のサブ受光部（図示せず）との三つの受光部を少なくとも備えて構成される。平面視略矩形のメイン受光部は、略均等に四分割されて平面視略矩形の四つのセグメントを備える。また、平面視略矩形のサブ受光部は、略均等に四分割されて平面視略矩形の四つのセグメントを備える。このように、複数の平面視略矩形のセグメントを備えた複数分割タイプの各受光部を有するＰＤがＯＰＵ１００に装備される。セグメント（ｓｅｇｍｅｎｔ）とは、例えば、部分、断片など、全体が幾つかに分割されたもののうちの一つを意味する。
【００４３】
ＰＤは、光ディスクＭの信号層Ｍａから反射されたレーザ光を受けて、その信号を電気信号に変え、光ディスクＭの信号層Ｍａに記録されたデータ、情報、信号を検出するためのものとされている。また、ＰＤは、光ディスクＭの信号層Ｍａから反射されたレーザ光を受けて、その信号を電気信号に変え、ＯＰＵ１００を構成するＯＢＬ１３０付レンズホルダ１４０を含んだレンズ・ホルダ組立体１９３のサーボ機構を動作させるためのものとされている。ＯＰＵ１００により、例えば、光ディスクＭに記録されたデータ／情報／信号が読み出されたり、光ディスクＭにデータ／情報／信号が書き込まれたり、光ディスクＭに記録されたデータ／情報／信号が消されたりするときに、ＰＤの各受光部に各レーザ光が照射されることにより、光ディスクＭのメイン情報信号、光ディスクＭに対するフォーカスエラー信号、トラッキングエラー信号などが検出される。
【００４４】
また、光ディスク装置１、ＯＰＵ１００等の設計／仕様等により、このＯＰＵ１００は、ＯＰＵ１００の各種部品を保護する被覆部材例えばカバー３０（図７）を備える。ＯＰＵ１００が組み立てられるときに、ＯＰＵ１００の上側に、例えば各種部品を保護するカバー３０が備えられる。カバー３０は、例えば放熱性に優れる薄肉金属板が用いられてプレス成形されている。薄肉板金製のカバー３０に代えて、例えば合成樹脂製の黒色カバー３０がＯＰＵ１００の上側に備えられてもよい。
【００４５】
また、このＯＰＵ１００は、各種光学系部品、電気系部品、駆動系部品などが装備されるハウジング１１０（図６，図７）を備える。ハウジング（ｈｏｕｓｉｎｇ）とは、例えば、装置、部品などの物が収容される箱、箱形のものや、箱に類似したものを意味する。
ハウジング１１０は、例えば放熱特性に優れる金属材料または摺動特性に優れる樹脂材料が用いられて形成される。
【００４６】
ハウジング１１０の例えば基板部１１０Ｂ上等に装備される光学系部品として、例えば、レーザダイオード、１／２波長板（１／２λ板）、開口制限付広帯域１／４波長板（１／４λ板）、液晶補正素子（ＬＣＤ：ｌｉｑｕｉｄ  ｃｒｙｓｔａｌ  ｄｅｖｉｃｅ／ｌｉｑｕｉｄ  ｃｒｙｓｔａｌ  ｄｉｓｐｌａｙ）、回折光学素子（ＤＯＥ：ｄｉｆｆｒａｃｔｉｖｅ  ｏｐｔｉｃａｌ  ｅｌｅｍｅｎｔ）、回折格子、ダイバージェントレンズ、プリズム、偏光ビームスプリッタ、ダイクロイックフィルタ、コリメータレンズ、ビームエキスパンダレンズ、ハーフミラー、レフレクトミラー、全反射ミラー、対物レンズ、フロントモニタダイオード、センサレンズ、アナモフィックレンズ、中間レンズ、フォトディテクタなどが挙げられる。このＯＰＵ１００は、前記光学系部品を備える。
【００４７】
また、ハウジング１１０の例えば基板部１１０Ｂ上等に装備される電気系部品として、例えば、ＬＤＤ、プリント基板、記憶装置（ＲＯＭ：ｒｅａｄ−ｏｎｌｙ  ｍｅｍｏｒｙ）、サスペンションワイヤ、コイル、アクチュエータ、フレキシブルプリント回路体、コネクタ、レーザドライバ、レーザダイオード、液晶補正素子、コリメータレンズ等を備えるビームエキスパンダユニット、フロントモニタダイオード、フォトディテクタなどが挙げられる。このＯＰＵ１００は、前記電気系部品を備える。
【００４８】
また、ハウジング１１０の例えば基板部１１０Ｂ上等に装備される駆動系部品として、たとえば、サスペンションワイヤ、コイル、磁石、ヨーク、アクチュエータ、対物レンズ、レンズホルダ、コリメータレンズ等を備えるビームエキスパンダユニットなどが挙げられる。このＯＰＵ１００は、前記駆動系部品を備える。
【００４９】
ＯＰＵ１００を構成する各種光学系部品、電気系部品、駆動系部品などの各種部品は、ハウジング１１０に装備される。ハウジング１１０は、各種光学系部品、電気系部品、駆動系部品などの各種部品が装備されるハウジング本体１１５と、ハウジング本体１１５から突設され第一の軸部材とされる第一の支持体９１と移動可能に合わせられる一対の主軸用の軸受部１１１Ａ，１１１Ｂと、主軸用の軸受部１１１Ａ，１１１Ｂに対し反対側に向けてハウジング本体１１５から突設され第二の軸部材とされる第二の支持体９２と移動可能に合わせられる副軸用の軸受部１１２と、を備えて形成されている。主軸用の軸受部１１１Ａ，１１１Ｂと、副軸用の軸受部１１２と、は、ハウジング本体１１５と一体成形されている。主軸用の軸受部１１１Ａ，１１１Ｂと、副軸用の軸受部１１２と、ハウジング本体１１５と、は、一つのものとして形成される。
【００５０】
ＯＰＵ１００における光ディスクＭの集光スポットのフォーカシング検出法として、例えば差動非点収差法に基づいた検出法等が挙げられる。差動非点収差法とは、例えば、非点収差をもった光学系で結像した点像ひずみを検出することにより、集光スポットの変位を検出する方法とされる。このＯＰＵ１００における集光スポットのフォーカシング検出法は、例えば差動非点収差法に基づいた検出法とされる。なお、フォーカシング検出法として、例えば、フーコー法、ナイフエッジ法などの他の検出法が併用されてもよい。
【００５１】
ＯＰＵ１００における光ディスクＭの集光スポットのフォーカシング検出法として、例えば非点収差法に基づいた検出法等が挙げられる。非点収差法とは、例えば、非点収差をもった光学系で結像した点像ひずみを検出することにより、集光スポットの変位を検出する方法とされる。また、フォーカシング検出法として、例えば差動非点収差法に基づいた検出法等が挙げられる。差動非点収差法とは、例えばメインスポットで生成されたフォーカスエラー信号から所定の係数を乗じたサブスポットで生成されたフォーカスエラー信号を減算することによりフォーカスエラー信号を生成する方法とされ、プッシュプル漏れ込
みが小さく抑えられる。このＯＰＵ１００における集光スポットのフォーカシング検出法は、例えば差動非点収差法に基づいた検出法とされる。なお、フォーカシング検出法として、例えば、フーコー法、ナイフエッジ法などの他の検出法が用いられたり併用されたりしてもよい。各光ディスクＭの種類などにより、例えば差動非点収差法などの各フォーカシング検出法が、適宜、自動的に選択される。
【００５２】
また、ＯＰＵ１００における光ディスクＭの集光スポットのトラッキング検出法として、例えば差動プッシュプル（ＤＰＰ：ｄｉｆｆｅｒｅｎｔｉａｌ  ｐｕｓｈ−ｐｕｌｌ）法に基づいた検出法等が挙げられる。差動プッシュプル法とは、例えば、データ読書き用のメインビームと、位置ずれの補正信号を検出する二つのサブビームとにより、集光スポットの変位を検出する方法とされる。このＯＰＵ１００における集光スポットのトラッキング検出法は、例えば差動プッシュプル法に基づいた検出法とされる。なお、トラッキング検出法として、例えば、位相差法、ヘテロダイン検波法などの他の検出法が併用されてもよい。
【００５３】
また、ＯＰＵ１００における光ディスクＭの集光スポットのトラッキング検出法として、例えば差動プッシュプル（ＤＰＰ：ｄｉｆｆｅｒｅｎｔｉａｌ  ｐｕｓｈ−ｐｕｌｌ）法に基づいた検出法等が挙げられる。差動プッシュプル法とは、例えば、データ読書き用のメインビームと、位置ずれの補正信号を検出する二つのサブビームとにより、集光スポットの変位を検出する方法とされる。また、トラッキング検出法として、例えば位相差法などを含むＤＰＤ（Ｄｉｆｆｅｒｅｎｔｉａｌ  Ｐｈａｓｅ  Ｄｅｔｅｃｔｉｏｎ）法に基づいた検出法等が挙げられる。具体的に説明すると、トラッキング検出法として、例えば、四分割型光検出器によって検出される位相差信号に基づいた位相差法が挙げられる。このＯＰＵ１００における集光スポットのトラッキング検出法は、例えば、ＤＰＰ法、ＤＰＤ法、位相差法、ヘテロダイン検波法などに基づいた検出法が用いられたり併用されたりする。また、各光ディスクＭの種類などにより、例えば位相差法などの各トラッキング検出法が、適宜、自動的に選択される。なお、トラッキング検出法として、例えば３ビーム法などの他の検出法が用いられてもよい。
【００５４】
図１〜図５の如く、この光学素子１０の取付構造は、光学素子１０と、光学素子１０が装備される導通部材２０と、光学素子１０および導通部材２０が装備される取付部材１１０と、を備えて構成されている。取付部材１１０に導通部材２０が備えられると共に、導通部材２０により取付部材１１０に光学素子１０が備えられている。
【００５５】
また、導通部材２０に光学素子１０が装着されている。
【００５６】
また、この光学素子１０の取付構造は、光学素子１０を装備させるときに用いられる固定部材３０（図７）をさらに備えて構成されている。固定部材３０により取付部材１１０に光学素子１０が固定されている。
【００５７】
また、光学素子１０として受光素子１０が用いられている。また、導通部材２０としてフレキシブル基板２０が用いられている。また、取付部材１１０としてハウジング１１０が用いられている。また、固定部材３０としてカバー３０が用いられている。
【００５８】
また、光学素子１０は、光が照射可能な側面視略矩形板状に形成されている。また、導通部材２０の当接力発生部２９は、側面視略Ｖ字状に形成されている。
【００５９】
また、取付部材１１０は、樹脂および／または金属が用いられて形成されている。また、導通部材２０は、例えば、可撓性導体、可撓性絶縁被覆材が用いられて形成されている。
【００６０】
取付部材１１０に光学素子１０が装備されるときに、光学素子１０は、取付部材１１０に装備された導通部材２０により取付部材１１０に備えられる。
【００６１】
取付部材１１０に導通部材２０が備えられるので、例えば取付部材１１０に導通部材２０と共に装備された光学素子１０の取付位置が調整されるときに、導通部材２０が不用意にずらされ、これに伴って例えば光学素子１０の位置調整が不正確に行われるということは回避される。従って、取付部材１１０に光学素子１０が容易に備えられる。
【００６２】
この導通部材２０は、光学素子１０を取付部材１１０に装備させるときに用いられる導通部材２０とされている。導通部材本体部２１を取付部材１１０に装備可能とさせる係止部２８が導通部材本体部２１に備えられている。
【００６３】
また、係止部２８は、導通部材本体部２１の端部２２の近傍に折曲げ形成されている。
【００６４】
また、係止部２８は、取付部材１１０に対して導通部材本体部２１の端部２２を装備可能とさせる傾斜部２６を有する。
【００６５】
また、取付部材１１０に対して復元弾性力を発生させる当接力発生部２９が導通部材本体部２１に備えられている。
【００６６】
また、導通部材本体部２１に対し当接力発生部２９が折り返し形成されている。
【００６７】
また、この光学素子１０の取付構造においては、導通部材２０として、上記形態をした導通部材２０が用いられている。
【００６８】
取付部材１１０に光学素子１０が装備されるときに、光学素子１０は、取付部材１１０に装備された導通部材２０により取付部材１１０に備えられる。
【００６９】
また、導通部材本体部２１を取付部材１１０に装備可能とさせる係止部２８が導通部材本体部２１に備えられているので、例えば取付部材１１０に導通部材２０と共に装備された光学素子１０の取付位置が調整されるときに、導通部材２０が不用意にずらされ、これに伴って例えば光学素子１０の位置調整が不正確に行われるということは回避される。従って、取付部材１１０に光学素子１０が容易に備えられる。
【００７０】
また、導通部材２０の導通部材本体部２１の端部２２近傍に弾性保持部２８が設けられることで、取付部材１１０に光学素子１０を備える導通部材２０が装着されるときの取付作業が容易に行われる。また、これに伴って、例えば、光学素子１０の取付構造における初期性能の安定性、信頼性等が改善される。
【００７１】
また、取付部材１１０に対する導通部材２０及び／又は受光素子１０の装着時および修理時の着脱を考慮し、導通部材２０を構成するＦＰＣ本体部２１の端部２２の係止部２８に傾斜角度を調整可能な傾斜部２６を形成させて、取付部材１１０に対し導通部材２０を例えば着脱自在に容易に装着可能とさせている。
【００７２】
また、導通部材２０を構成するＦＰＣ本体部２１の端部２２の係止部２８に傾斜部２６を形成させることで、取付部材１１０に導通部材２０を装着するときに取付部材１１０の係合部１２８にＦＰＣ２０の係止部２８が係り合わせられることとなり、取付部材１１０に対する導通部材２０の位置ずれ防止効果も期待される。
【００７３】
また、固定部材３０により取付部材１１０に光学素子１０が固定されるので、例えば接合部材を用いることなく取付部材１１０への光学素子１０の取付固定が行われる。従って、価格を低く抑えることが可能とされたピックアップ装置１００を構成させることができる。
【００７４】
また、このピックアップ装置１００は、上記光学素子１０の取付構造を有する。
【００７５】
上記光学素子１０の取付構造が構成されていれば、導通部材２０により光学素子１０が取付部材１１０に容易に備えられる。従って、価格を低く抑えることが可能とされたピックアップ装置１００を構成させることができる。
【００７６】
導通部材、光学素子の取付方法、並びに、ピックアップ装置の組立方法を含めて詳しく説明すると、光学素子１０の取付構造を有するＯＰＵ１００は、レーザ光が照射される光学素子１０と、光学素子１０を比較的精度よく容易に位置合せさせつつ取付部材１１０の導通部材用係合部１２８に装備させるときに用いられる端部２２に光学素子１０が装備された導通部材２０と、光学素子１０および導通部材２０が装備された取付部材１１０と、を備えて構成されている。
【００７７】
また、この光学素子１０の取付構造を有するＯＰＵ１００は、導通部材２０の端部２２に設けられた係止部２８と、導通部材２０の端部２２の係止部２８が挿入されて装備される収容部１２９を有する取付部材１１０の導通部材用係合部１２８と、を備えて構成されている。
【００７８】
光学素子１０は、例えば複数のレーザ光が照射される側面視略矩形板状をした受光素子１０例えばＦＭＤとして形成されている。また、導通部材２０として、ＦＰＣ２０が用いられている。また、取付部材１１０として、ハウジング１１０が用いられている。また、固定部材３０として保護カバー３０が用いられている。また、導通部材用係合部１２８として、ＦＰＣ用保持部１２８が用いられている。また、導通部材用係合部１２８を構成する収容部１２９として、ＦＰＣ用保持部１２８を構成する例えば側面視略Ｇ字状をした略矩形箱状の収容室１２９が用いられている。
【００７９】
ハウジング１１０のＦＰＣ用保持部１２８を構成する収容室１２９に、ＦＰＣ２０の弾性保持部２８、復元性当接力発生部２９が例えば着脱自在に備えられて係り合せられると共に、ハウジング１１０のＦＰＣ用保持部１２８を構成する収容室１２９の近傍の基板部１１０Ｂ上に受光素子１０が装備されたときに、ＦＰＣ２０の撓まされた復元性当接力発生部２９に生じる復元弾性力により、ハウジング１１０のＦＰＣ用保持部１２８を構成する収容室１２９内に、ＦＰＣ２０の弾性保持部２８、復元性当接力発生部２９が例えば広げられた状態で備えられる。このときに、併せて受光素子１０が前後方向ＤＢＦおよび／または上下方向ＤＵＤおよび／または左右方向ＤＲＬおよび／または回動方向に略沿って取付位置が調整可能な状態で精度よく容易に弾性保持されてハウジング１１０に備えられる。
【００８０】
また、ＦＰＣ２０の端部２２に受光素子１０が装着されている。
【００８１】
また、ＦＰＣ２０の端部２２の近傍において、可撓性の略平板状をしたＦＰＣ２０が略直角に折り曲げられて折曲げ部２３が形成されると共に、受光素子１０が装備される垂直部２４が形成され、また、ＦＰＣ２０が鋭角に折り返されて折返し曲げ部２５が形成されると共に、折返し曲げ部２５を略中心軸とした可動性の傾斜部２６が形成され、可動性傾斜部２６が先端部２７まで延設されて、ＦＰＣ２０の端部２２の近傍に、弾性保持部２８、復元性当接力発生部２９が形成されている。また、ＦＰＣ２０が側面視されたときに、
ＦＰＣ２０の端部２２の垂直部２４の長さと傾斜部２６の長さとは、略同じとされている。
【００８２】
また、受光素子１０の近傍に位置するハウジング１１０のＦＰＣ用保持部１２８は、例えば側面視略Ｇ字状に形成されている。詳しく説明すると、ハウジング１１０のＦＰＣ用保持部１２８は、ハウジング１１０を構成する基板部１１０Ａと、基板部１１０Ａに対し略垂直に立設された第一側板部１２１と、第一側板部１２１に対して略直交し第一側板部１２１から基板部１１０Ａに対し略水平に延設された第二側板部１２２と、第二側板部１２２に対して略直交し第二側板部１２２から基板部１１０Ａに対し略直交して延設された第三側板部１２３と、基板部１１０Ａに対し略垂直に立設された第四側板部１２４と、を備えて構成されている。また、基板部１１０Ａと第四側板部１２４とが直交する部分に角部１２５が形成され、基板部１１０Ａと第一側板部１２１とが直交する部分に角部１２６が形成され、第一側板部１２１と第二側板部１２２とが直交する部分に角部１２７Ａが形成され、第二側板部１２２と第三側板部１２３が直交する部分に角部１２７Ｂが形成されている。また、ハウジング１１０の主な部分を構成する基板部１１０Ａよりもハウジング１１０のＦＰＣ用保持部１２８の収容室１２９を構成する基板部１１０Ｂのほうが厚さが薄い。
【００８３】
ハウジング１１０のＦＰＣ用保持部１２８を構成する収容室１２９に、ＦＰＣ２０の弾性保持部２８、復元性当接力発生部２９が例えば着脱自在に備えられて係り合せられると共に、ハウジング１１０のＦＰＣ用保持部１２８を構成する収容室１２９の近傍の基板部１１０Ｂ上に受光素子１０が装備されたときに、ＦＰＣ２０の撓まされた復元性当接力発生部２９の折返し曲げ部２５に生じる復元弾性力により、収容室１２９の角部１２５にＦＰＣ２０の折返し曲げ部２５が当接されると共に、収容室１２９の角部１２７ＡにＦＰＣ２０の先端部２７が当接される。このときにＦＰＣ２０の折返し曲げ部２５に生じる力と、ＦＰＣ２０の先端部２７に生じる力と、が釣り合って、基板部１１０Ｂ上に受光素子１０が位置合せされつつ装備される。
【００８４】
また、ハウジング１１０のＦＰＣ用保持部１２８を構成する収容室１２９に、ＦＰＣ２０の弾性保持部２８、復元性当接力発生部２９が例えば着脱自在に備えられて係り合せられるときに、ＦＰＣ２０の先端部２７が第三側板部１２３を例えば乗り越えて、ＦＰＣ２０の先端部２７は、第一側板部１２１と、第二側板部１２２と、第三側板部１２３と、が形成されることにより構成された溝１２７Ｃ内に入り込む。第三側板部１２３、溝１２７Ｃ等により、ＦＰＣ２０の弾性保持部２８、復元性当接力発生部２９を構成する先端部２７が、ハウジング１１０のＦＰＣ用保持部１２８を構成する収容室１２９から不用意に外されるということは回避される。
【００８５】
また、この受光素子１０の取付構造を有するＯＰＵ１００は、受光素子１０をハウジング１１０に装備させるときに用いられる保護カバー３０をさらに備えて構成されている。ねじ３５（図７）等の止具３５等が用いられて保護カバー３０がハウジング１１０に備えられることにより、ハウジング１１０に受光素子１０が位置決め固定されている。
【００８６】
受光素子１０は、レーザ光が照射可能な透明もしくは半透明をした部材を有する側面視略矩形板状に形成されている。また、受光素子１０を比較的容易に正確にハウジング１１０のＦＰＣ用保持部１２８近傍に装備させるために、ＦＰＣ２０のＦＰＣ本体部２１の端部２２近傍に備えられた係止部２８の当接力発生部２９は、側面視略Ｖ字状に形成されている。
【００８７】
また、ハウジング１１０並びにハウジング１１０のＦＰＣ用保持部１２８は、例えば合成樹脂および／または軽量金属が用いられて形成されている。また、側面視略Ｖ字状係止
部２８、復元性当接力発生部２９、ＦＰＣ本体部２１を備えたＦＰＣ２０は、例えば、銅箔などの金属箔、全芳香族ＰＩなどの芳香族系耐熱性合成樹脂が用いられて形成されている。詳しく説明すると、ＦＰＣ２０は、半田付け等が行われるときの耐熱性などに優れる例えば全芳香族系のポリイミド（ＰＩ：ｐｏｌｙｉｍｉｄｅ）系樹脂などの芳香族系耐熱性合成樹脂製の絶縁シートに複数の回路導体が印刷されて、例えば銅箔などの金属箔が絶縁シートに並設され、その上に透明もしくは半透明の保護層が設けられて構成される。また、受光素子１０は、例えば、金属、樹脂、ガラス等が用いられて形成されている。
【００８８】
ＯＰＵ１００を構成しＦＰＣ用保持部１２８を有するハウジング１１０は、例えば、機械的特性、摺動特性、寸法安定性、耐熱性、射出成形性、絶縁特性などの電気的特性などに優れ、さらに鉄材などよりも軽量化が可能とされるポリフェニレンサルファイド（ＰＰＳ：ｐｏｌｙ  ｐｈｅｎｙｌｅｎｅ  ｓｕｌｆｉｄｅ）樹脂等のポリアリーレンサルファイド（ＰＡＳ：ｐｏｌｙ  ａｒｙｌｅｎｅ  ｓｕｌｆｉｄｅ）系樹脂を基材とした耐熱性の合成樹脂組成物が用いられて形成される。樹脂材料は、例えば鉄よりも比重が小さく軽量化に適した材料とされている。
【００８９】
ＰＰＳを基材とした組成物として、例えばＤＩＣ（ディーアイシー、旧社名：大日本インキ化学工業）社製：ＤＩＣ（登録商標）等が挙げられる。具体的なＰＰＳを基材とした組成物として、例えば、非強化のリニア型ＰＰＳとされるＤＩＣ社製：「ＤＩＣ・ＰＰＳ
ＦＺ−２１００」、ガラス繊維３０％強化のリニア型ＰＰＳとされるＤＩＣ社製：「ＤＩＣ・ＰＰＳ  ＦＺ−２１３０」、ガラス繊維４０％強化の架橋型ＰＰＳとされるＤＩＣ社製：「ＤＩＣ・ＰＰＳ  ＦＺ−１１４０−Ｄ９」等が挙げられる。
【００９０】
直鎖型ＰＰＳ（リニア型ＰＰＳ）組成物により形成された成形体は、例えば伸びが大きく靭性が良い。これに対し、架橋型ＰＰＳ組成物により形成された成形体は、例えば直鎖型ＰＰＳ組成物により形成された成形体に比べて弾性率が高い。また、半架橋型ＰＰＳ組成物により形成された成形体は，例えば、直鎖型ＰＰＳ組成物により形成された成形体の特性と、架橋型ＰＰＳ組成物により形成された成形体の特性との両方の特性を併せ持つ。
【００９１】
又は、ＯＰＵ１００を構成するハウジング１１０は、例えば、アルミニウム（Ａｌ）、マグネシウム（Ｍｇ）、亜鉛（Ｚｎ）からなる群から選択される少なくとも一種以上の元素を含有する非鉄金属、ダイカスト合金などの金属が用いられて形成される。アルミニウム、マグネシウム、亜鉛は、耐食性に優れたものとされ、鉄よりも比重の小さい非鉄金属とされている。例えばアルミニウムを主成分とするアルミニウム合金などの非鉄金属材料が用いられてハウジング１１０が形成される。
【００９２】
また、ＦＰＣ２０は、受光素子１０をハウジング１１０のＦＰＣ用保持部１２８を構成する収容室１２９内に精度よく容易に位置合せさせつつ装備させるときに用いられるＦＰＣ２０として構成されている。ＦＰＣ２０の端部２２をハウジング１１０のＦＰＣ用保持部１２８に例えば仮止めとしての位置合せを行わせつつ装備可能とさせる係止部２８が、ＦＰＣ２０を構成するＦＰＣ本体部２１の端部２２に備えられている。
【００９３】
また、ＦＰＣ２０のＦＰＣ本体部２１は、側面視略可撓性板状に形成されている。また、ＦＰＣ２０の係止部２８は、ＦＰＣ本体部２１の端部２２の近傍に側面視略Ｖ字状に折曲げ形成された例えば弾性保持部２８として形成されている。
【００９４】
また、ＦＰＣ２０の係止部２８は、ハウジング１１０のＦＰＣ用保持部１２８に対してＦＰＣ２０のＦＰＣ本体部２１の端部２２を例えば容易に着脱自在に装備可能とさせる可動性傾斜部２６を有する弾性保持部２８として形成されている。
【００９５】
また、ハウジング１１０のＦＰＣ用保持部１２８に対して復元弾性力を発生させる側面視略Ｖ字状をした復元性当接力発生部２９が、ＦＰＣ本体部２１の端部２２に設けられて備えられている。
【００９６】
例えば、ＦＰＣ２０を構成する略平面板状のＦＰＣ素材が折返し曲げ部２５にて側面視略逆Ｖ字状に折り返し形成されて、側面視略Ｖ字状をした復元性当接力発生部２９の可動性傾斜部２６が、受光素子１０の取付部２４に対して例えば遠ざかる方向に略沿って延設されている。また、ＦＰＣ本体部２１並びに復元性当接力発生部２９を備えるＦＰＣ２０の復元性当接力発生部２９が自然状態のときに、復元性当接力発生部２９の鋭角に傾けられた折返し曲げ部２５から先端部２７まで可動性傾斜部２６がＦＰＣ本体部２１並びに受光素子１０の取付部２４に対して傾けられた状態で延設されている。ＦＰＣ本体部２１に対し側面視略Ｖ字状をした復元性当接力発生部２９が折り返し形成されて、ＦＰＣ２０の端部２２は、例えば側面視Ｖ字状に形成されている。受光素子１０にＦＰＣ本体部２１が接し、ハウジング１１０のＦＰＣ用保持部１２８を構成する収容室１２９内に復元性当接力発生部２９の鋭角に傾けられた折返し曲げ部２５が接して係止めされる。
【００９７】
ＦＰＣ用保持部１２８を構成する収容室１２９内にて、復元性当接力発生部２９に復元弾性力が発生された状態で受光素子１０の位置調整が行われるときに、例えば受光素子１０の変位に対する復元性当接力発生部２９の荷重変化は、僅かに吸収される。
【００９８】
また、この受光素子１０の取付構造においては、上記ＦＰＣ２０として、上記形態をしたＦＰＣ２０が用いられている。
【００９９】
また、このＯＰＵ１００は、上記受光素子１０の取付構造を有する。
【０１００】
上記受光素子１０の取付構造が構成されていれば、ＦＰＣ２０により、受光素子１０は、ハウジング１１０のＦＰＣ用保持部１２８に比較的精度よく容易に位置調整されて備えられる。従って、価格を低く抑えることが可能とされたＯＰＵ１００を構成させることができる。
【０１０１】
ハウジング１１０のＦＰＣ用保持部１２８を構成する収容室１２９内に受光素子１０が位置合せされつつ装備されるときに、受光素子１０は、ハウジング１１０のＦＰＣ用保持部１２８を構成する収容室１２９内に装備されたＦＰＣ２０の撓まされた復元性当接力発生部２９に生じる復元弾性力により、前後方向ＤＢＦおよび／または上下方向ＤＵＤおよび／または左右方向ＤＲＬおよび／または回動方向に略沿って取付位置が調整可能な状態でハウジング１１０のＦＰＣ用保持部１２８を構成する収容室１２９内に精度よく容易に弾性保持されて備えられる。
【０１０２】
また、ＦＰＣ２０の端部２２をハウジング１１０のＦＰＣ用保持部１２８に例えば仮止めとしての位置合せを行わせつつ装備可能とさせる係止部２８が、ＦＰＣ２０を構成するＦＰＣ本体部２１の端部２２に備えられて、ハウジング１１０のＦＰＣ用保持部１２８を構成する収容室１２９にＦＰＣ２０が例えば着脱自在に係り合せられるので、例えばハウジング１１０にＦＰＣ２０と共に装備された受光素子１０の取付位置が前後方向ＤＢＦおよび／または上下方向ＤＵＤおよび／または左右方向ＤＲＬおよび／または回動方向に略沿って調整されるときに、ＦＰＣ２０がハウジング１１０のＦＰＣ用保持部１２８を構成する収容室１２９内で不用意に前後方向ＤＢＦおよび／または上下方向ＤＵＤおよび／または左右方向ＤＲＬおよび／または回動方向に略沿ってずらされ、これに伴って例えば受光素子１０の位置調整が結果として不正確に行われるという不具合の発生は回避される。
【０１０３】
従って、ハウジング１１０のＦＰＣ用保持部１２８を構成する収容室１２９内にＦＰＣ
２０の端部２２が精度よく備えられると共に、ハウジング１１０のＦＰＣ用保持部１２８を構成する収容室１２９の近傍に、受光素子１０が精度よく容易に弾性保持されて備えられる。
【０１０４】
また、ＦＰＣ２０のＦＰＣ本体部２１の端部２２近傍に側面視略Ｖ字状に折曲げ形成された弾性保持部２８が設けられることで、ハウジング１１０のＦＰＣ用保持部１２８を構成する収容室１２９内に受光素子１０を備えるＦＰＣ２０の端部２２が装着されるときの取付作業が容易に行われる。また、これに伴って、例えば受光素子１０の取付構造において、初期性能の安定性が改善され、熱衝撃試験〔ヒートショック（Ｈ／Ｓ：ｈｅａｔ  ｓｈｏｃｋ）〕等における信頼性評価等においても受光素子１０の位置ずれが改善される。
【０１０５】
また、ＦＰＣ２０の弾性保持部２８の形状については、ハウジング１１０のＦＰＣ用保持部１２８に対するＦＰＣ２０及び／又は受光素子１０の装着時および修理時の着脱を考慮し、ＦＰＣ２０を構成するＦＰＣ本体部２１の端部２２の弾性保持部２８に可動性傾斜部２６を形成させて、弾性保持部２８を略Ｖ字状にして、ハウジング１１０のＦＰＣ用保持部１２８に対し、ＦＰＣ２０を例えば着脱自在に容易に装着可能とさせている。
【０１０６】
また、ＦＰＣ２０を構成するＦＰＣ本体部２１の端部２２の弾性保持部２８に可動性傾斜部２６を形成させて、例えば略Ｖ字状をした弾性保持部２８をＦＰＣ２０を構成するＦＰＣ本体部２１の端部２２に設けることで、ハウジング１１０のＦＰＣ用保持部１２８にＦＰＣ２０を装着するときに、ハウジング１１０のＦＰＣ用保持部１２８にＦＰＣ２０の弾性保持部２８が係り合わせられることとなり、ハウジング１１０のＦＰＣ用保持部１２８に対するＦＰＣ２０の位置ずれ防止効果も期待される。
【０１０７】
また、ねじ３５等の止具３５等が用いられて最終的に保護カバー３０によりハウジング１１０に受光素子１０が固定されるので、例えば接着剤を用いることなくハウジング１１０への受光素子１０の取付固定が行われる。従って、価格を低く抑えることが可能とされたＯＰＵ１００を構成させることができる。
【０１０８】
次に、ＯＰＵ１００の代表的な光学部材について説明すると、ＯＰＵ１００を構成する光学部材１３０として、光ディスクＭ等のメディアＭの信号面部Ｍａに対してレーザ光（図示せず）を集光させる略凸状のＯＢＬ１３０が用いられている。このように例えば一つのＯＢＬ１３０を備えるＯＰＵ１００が構成されている。具体的に説明すると、例えば波長が略７６５〜８４０ｎｍの第一レーザ波長光、波長が略６３０〜６８５ｎｍの第二レーザ波長光、波長が略３４０〜４５０ｎｍの第三レーザ波長光に対応した開口数略０．８５のＯＢＬ１３０を備えるＯＰＵ１００が構成されている。開口数とは、例えば光学器械で対物レンズの有効半径（入射ひとみの半径）を物点から見る角の正弦と、入射側の媒質の屈折率との積をいう。開口数（Ｎｕｍｅｒｉｃａｌ  Ａｐｅｒｔｕｒｅ）は、「ＮＡ」と省略される。開口数は、対物レンズの性能を表すときに用いられる。
【０１０９】
ＯＰＵ１００のアクチュエータ１９０を用いてＯＰＵ１００のＯＢＬ１３０を上下／左右動させることにより、光ディスクＭの信号層Ｍａにレーザ光の焦点が合わせられる。詳しく説明すると、光ディスクＭの信号層Ｍａに精度の高いレーザスポットを照射形成させるときに、ＯＰＵ１００のアクチュエータ１９０により、レンズホルダ１４０に装備されたＯＢＬ１３０が、フォーカシング方向Ｄ１、トラッキング方向Ｄ２、並びに必要に応じてチルト方向Ｄ４等に略沿って動かされる。アクチュエータ（ａｃｔｕａｔｏｒ）とは、例えばエネルギーを並進運動、回転運動等に変換させる駆動装置を意味する。このＯＰＵ１００は、ＯＢＬ１３０によるレーザ光の焦点合せが行われるときに、フォーカシング調整と、トラッキング調整と、必要に応じてチルト調整と、を実行する。また、フォーカシング調整と、トラッキング調整と、チルト調整と、は、例えば略同時に実行される。
【０１１０】
フォーカスとは、例えば焦点やピントを意味する。また、フォーカシングとは、焦点を合わせることや、焦点が合わせられることを意味する。また、トラックとは、例えば光ディスクＭにおける信号の軌道を意味する。また、トラッキングとは、光を用いて、光ディスクＭの信号面部Ｍａに設けられた微小信号部を追跡観測し、略螺旋状に描かれた軌道の位置を定めることを意味する。また、光ディスク装置または光ピックアップ装置におけるチルトとは、ディスク面と対物レンズ光軸との角度ずれを意味する。
【０１１１】
例えば、光ディスクＭに対し、ＯＢＬ１３０が装着されたレンズホルダ１４０を備えるレンズ・ホルダ組立体１９３のフォーカスサーボが行われるときに、ＯＢＬ１３０が装着されたレンズホルダ１４０を備えるレンズ・ホルダ組立体１９３は、上下方向Ｄ１に沿って動かされる。また、光ディスクＭに対し、ＯＢＬ１３０が装着されたレンズホルダ１４０を備えるレンズ・ホルダ組立体１９３のトラッキングサーボが行われるときに、ＯＢＬ１３０が装着されたレンズホルダ１４０を備えるレンズ・ホルダ組立体１９３は、例えば光ディスクＭの略螺旋状トラック（図示せず）の線方向に対し左右方向Ｄ２に沿って動かされる。サーボもしくはサーボ機構とは、制御の対象とされるものの状態を測定し、測定したものと基準値とを比較して、自動的に修正制御を行わせる機構のものを意味する。ＯＢＬ１３０によって絞られたレーザ光の焦点が光ディスクＭの信号層Ｍａに合わせられるときに、ＯＢＬ１３０が装備されたレンズホルダ１４０を含むレンズ・ホルダ組立体１９３は、アクチュエータ１９０により上下左右等に駆動させられる。
【０１１２】
また、略丸棒状の支持体９１，９２の長手方向Ｄ２に略沿ってＯＰＵ１００が移動する時に、略丸孔状の第一の軸受部１１１Ａと、略丸棒状の第一の支持体９１と、が摺接する。又、略丸棒状の支持体９１，９２の長手方向Ｄ２に略沿ってＯＰＵ１００が移動するときに、略丸孔状の第二の軸受部１１１Ｂと、略丸棒状の第一の支持体９１と、が摺接する。又、略丸棒状の支持体９１，９２の長手方向Ｄ２に略沿ってＯＰＵ１００が移動するときに、横倒し状の略Ｕ字状滑り軸受構造をした第三の軸受部１１２と、略丸棒状の第二の支持体９２と、が摺接する。略丸棒状の支持体９１，９２の長手方向Ｄ２は、光ディスクＭの内周側から外周側にかけたＯＰＵ１００の移動方向Ｄ２、及び／又は、光ディスクＭの外周側から内周側にかけたＯＰＵ１００の移動方向Ｄ２とされている。
【０１１３】
支持体９１，９２は、ＯＰＵ１００のハウジング１１０の軸受部１１１Ａ，１１１Ｂ，１１２に対して摺接可能な例えばスライドシャフト９１，９２として形成されている。支持体９１，９２は、耐食性に優れ、例えば、「ＪＩＳ  Ｇ  ４３０４」に基づいて定められた「熱間仕上ステンレス鋼棒」、「ＪＩＳ  Ｇ  ４３１８」に基づいて定められた「冷間成形ステンレス鋼棒」等が用いられて形成されている。また、軸受部１１１Ａ，１１１Ｂ，１１２は、スライドシャフト９１，９２に対して摺接可能な例えば摺動部１１１Ａ，１１１Ｂ，１１２として形成されている。
【０１１４】
ＯＰＵ１００は、ハウジング１１０の第一の摺動部１１１Ａと、第二の摺動部１１１Ｂと、第三の摺動部１１２とにより、一対のスライドシャフト９１，９２上に安定した略三点構造で移動可能に支持される。ＯＰＵ１００は、ハウジング１１０の第一の摺動部１１１Ａと、第二の摺動部１１１Ｂと、第三の摺動部１１２との主な三点によって、一対のスライドシャフト９１，９２上に移動可能に支持されるので、例えば四点支持構造のＯＰＵ（図示せず）よりも摩擦が減らされる。
【０１１５】
また、第三の摺動部１１２は、開口された横倒し状の略Ｕ字状滑り軸受構造を構成するものとされているので、例えば副軸とされるスライドシャフト９２へのＯＰＵ１００の組付け作業が容易に行われる。また、第三の摺動部１１２は、開口された横倒し状の略Ｕ字状滑り軸受構造を構成するものとされているので、例えば主軸とされる第一のスライドシ
ャフト９１に対し、副軸とされる第二のスライドシャフト９２の平行度等の僅かな誤差は、開口された横倒し状の略Ｕ字状滑り軸受構造の第三の摺動部１１２により吸収される。
【０１１６】
ＯＰＵ１００は、上記各種部品以外の他の部品等も備えて構成されるが、ここでは他の部品等の詳細な説明を省略する。
【０１１７】
トラバースメカ５を構成するピックアップ装置主体部組立体７は、略平板状のシャーシ８０と、略平板状のシャーシ８０に取り付けられた一対の長尺丸棒状のスライドシャフト９１，９２と、一対の長尺丸棒状のスライドシャフト９１，９２に移動可能に装備されたＯＰＵ１００と、を備えて構成されている。また、ＯＰＵ１００は、ディスクＭの信号面部Ｍａにレーザ光などの光の焦点を合わせた状態で光を照射させる一対のＯＢＬ１３０を備えて構成されている。
【０１１８】
止具、接着剤等が用いられて、光ピックアップ装置主体部組立体７を構成する略平板状のシャーシ８０に、回動モータ主体部組立体５０を構成する略平板状の回路基板が備えられ、且つ、一対の略丸棒状のスライドシャフト９１，９２が略平板状のシャーシ８０に備えられることにより、精度が高く各部の位置ずれが生じ難いトラバースメカ５、トラバースメカ５を備える光ディスク装置１等が構成される。
【０１１９】
上記ＯＰＵ１００、上記トラバースメカ５を備える光ディスク装置１は、上記各種光ディスクＭにデータ、情報、信号等を記録させたり、上記各種光ディスクＭのデータ、情報、信号等を再生させたり、上記各種光ディスクＭのデータ、情報、信号等を消去させたりする例えば記録・再生装置に使用可能とされる。また、上記ＯＰＵ１００、上記トラバースメカ５を備える光ディスク装置１は、上記各種光ディスクＭのデータ、情報、信号等を再生させる例えば再生専用装置にも使用可能とされる。
【０１２０】
光ディスク装置１内にディスクＭが装備される状態について説明すると、光ディスク装置１の光ディスク装置本体２に対して出し入れ可能なトレー（図示せず）が用いられて、光ディスク装置１の光ディスク装置本体２内にディスクＭが備えられる。
【０１２１】
光ディスク装置１（図８）は、光ディスクＭが装備可能とされると共に光ディスク装置本体２に対して出し入れ可能なトレー（図示せず）と、ターンテーブル７３とターンテーブル７３に対向するクランパ（図示せず）とを有し光ディスクＭを挟み込んで固定可能なクランプ装置と、ターンテーブル７３を含み光ディスクＭを回転駆動させるドライブ装置４０と、光ディスクＭにレーザ光を照射させるＯＰＵ１００と、光ディスクＭの一半径方向Ｄ２に沿ってＯＰＵ１００を移動させるときにＯＰＵ１００を移動可能に支持する一対のスライドシャフト９１，９２と、を備えて構成されている。
【０１２２】
光ディスク装置１を構成する略矩形箱状の筐体３いわゆる光ディスク装置用カバー３に対し、出入り自在とされた略板状のトレーが用いられて、光ディスク装置１内に光ディスクＭが収容される。また、光ディスク装置１を構成する光ディスク装置用カバー３内に、光ディスクＭを回転させるドライブ装置４０が収納されている。ドライブ装置４０として、光ディスクＭが装備される略丸板状をしたターンテーブル７３を有するディスクドライブ装置４０が用いられている。また、光ディスクＭのデータ／情報／信号を読み取ったり、光ディスクＭにデータ／情報／信号を記録させたり、光ディスクＭのデータ／情報／信号を消去させたりするＯＰＵ１００が、光ディスク装置１を構成する光ディスク装置用カバー３内に装備されている。各種部品が装備された下側の光ディスク装置用カバー３に上側のカバー（図示せず）が装着されて、光ディスク装置１が組み立てられる。
【０１２３】
ターンテーブル７３とターンテーブル７３に対向するクランパとを備えたクランプ装置
が用いられて、ターンテーブル７３とクランパとの間に、中心部Ｍｃに丸孔Ｍｂが形成された光ディスクＭが、位置決めされた状態で確実に挟み込まれて着脱自在に固定される。
【０１２４】
この光ディスク装置１は、例えばノート型パーソナルコンピュータ（ＰＣ：Ｐｅｒｓｏｎａｌ  Ｃｏｍｐｕｔｅｒ）用のＯＰＵ１００を備えるノート型ＰＣ用の光ディスク装置１とされているが、例えばデスクトップ型ＰＣ用の光ディスク装置１として用いられてもよい。また、この光ディスク装置１は、上記各種部品以外の他の部品等も備えて構成されるが、ここでは他の部品等の詳細な説明を省略する。
【０１２５】
また、上記ＯＰＵ１００は、例えば、コンピュータ、音響／映像機器、ゲーム機、車載機（何れも図示せず）などに組み付けられる光ディスク装置１に装備される。また、上記ＯＰＵ１００、並びに上記ＯＰＵ１００を備える光ディスク装置は、例えば、ノート型パーソナルコンピュータＰＣ、ラップトップ型ＰＣ、デスクトップ型ＰＣ、車載用コンピュータなどのコンピュータ、コンピュータゲーム機などのゲーム機、ＣＤプレーヤ／ＣＤレコーダ、ＤＶＤプレーヤ／ＤＶＤレコーダ、「Ｂｌｕ−ｒａｙ／Ｂｌｕ−ｒａｙ  Ｄｉｓｃ」用プレーヤ／「Ｂｌｕ−ｒａｙ／Ｂｌｕ−ｒａｙ  Ｄｉｓｃ」用レコーダなどの音響および／または映像機器等に装備可能とされている（何れも図示せず）。また、上記ＯＰＵ１００は、「ＣＤ」系光ディスク、「ＤＶＤ」系光ディスク、「ＨＤ  ＤＶＤ」系光ディスク、「ＣＢＨＤ」系光ディスク、「Ｂｌｕ−ｒａｙ／Ｂｌｕ−ｒａｙ  Ｄｉｓｃ」系光ディスク等の複数のディスクに対応可能なものとされる。また、上記ＯＰＵ１００は、複数層の信号面部を有する一枚の光ディスクに対応可能なものとされている。上記ＯＰＵ１００は、例えば、「ＣＤ」、「ＤＶＤ」、「ＨＤ  ＤＶＤ」、「ＣＢＨＤ」、「Ｂｌｕ−ｒａｙ／Ｂｌｕ−ｒａｙ  Ｄｉｓｃ」などの各種光ディスクに対応したコンピュータ、音響および／または映像機器、ゲーム機、車載機などに装備可能とされている（何れも図示せず）。
【０１２６】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【０１２７】
例えば、ＦＭＤ、ＰＤ、ＰＤＩＣ等の受光素子１０に代えて、ＬＤ等の発光素子が光学素子１０として用いられてもよい。
【０１２８】
また、ＬＤとして上記各波長のうち少なくとも一種の波長のレーザ光を出射可能なＬＤが構成されてもよい。また、上記各波長のレーザ光を出射可能な単波長ＬＤが少なくとも三つＯＰＵ１００に装備されてもよい。
【０１２９】
また、一つのＯＢＬ１３０とされることなく複数のＯＢＬがレンズホルダ１４０に装備されてもよい。例えば、ＯＢＬ１３０の光軸方向Ｄ１に略沿った方向とされるフォーカシング方向Ｄ１と、光ディスクＭの一半径方向Ｄ２に略沿った方向とされるトラッキング方向Ｄ２と、に直交する方向とされる接線方向Ｄ３いわゆるタンジェンシャル方向Ｄ３に略沿って、レンズホルダ１４０に一対のＯＢＬが並設されてもよい。また、例えば、光ディスクＭの一半径方向Ｄ２に略沿った方向とされるトラッキング方向Ｄ２に略沿って、レンズホルダ１４０に一対のＯＢＬが並設されてもよい。
【０１３０】
また、ＯＰＵ１００は、第一、第二および第三の波長のレーザ光に対応する光学系を備え、レンズホルダ１４０は、第一、第二および第三の波長のレーザ光に対応する光学系に対応し、赤外波長帯のレーザ光、赤色波長帯のレーザ光及び青紫色波長帯のレーザ光の三種類のレーザ光に対応した一つのＯＢＬ１３０を保持していてもよい。
【０１３１】
また、例えば略均等に四分割されて平面視略矩形の四つのセグメントを備えた平面視略矩形の受光部に代えて、略均等に二分割されて平面視略矩形の二つのセグメントを備えた平面視略矩形の受光部（何れも不図示）が光検出器に構成されてもよい。また、例えば平面視略四角形のメイン受光部、並びに、平面視略四角形のサブ受光部に代えて、平面視略八角形のメイン受光部、平面視略八角形のサブ受光部等の多角形の受光部が光検出器（何れも不図示）に構成されてもよい。また、例えば四分割された回折格子に代えて、二分割された回折格子や三分割された回折格子（何れも不図示）等の複数分割された回折格子が用いられてもよい。
【符号の説明】
【０１３２】
１０    受光素子（光学素子）
２０    ＦＰＣ（導通部材）
２１    ＦＰＣ本体部（導通部材本体部）
２２    端部
２６    可動性傾斜部（傾斜部）
２８    弾性保持部（係止部）
２９    当接力発生部
３０    カバー（固定部材）
１００  ＯＰＵ（ピックアップ装置）
１１０  ハウジング（取付部材）
【図１】
2012089208.tif 000003
【図２】
2012089208.tif 000004
【図３】
2012089208.tif 000005
【図４】
2012089208.tif 000006
【図５】
2012089208.tif 000007
【図６】
2012089208.tif 000008
【図７】
2012089208.tif 000009
【図８】
2012089208.tif 000010